(57)【要約】【課題】  地震による左右の躯体の揺れ動きにスムーズに対応できるとともに、確実に耐火性・シール性を向上させることができる目地部用耐火部材の取付構造を提供すること。【解決手段】  一方と他方の左右の躯体間の目地部にかけ渡すように設けられる目地部用耐火部材の取付構造であって、前記一方の躯体の壁面に一端部が当接するように取り付けられているとともに、前記他方の躯体の壁面に他端部が当接するように取り付けられた目地部用耐火部材と、該目地部用耐火部材の前記各端部にそれぞれ略当接するように設けられた耐火シール部材充填部と、該耐火シール部材充填部にそれぞれ充填された耐火シール部材とで構成され、前記目地部用耐火部材は、柔軟性を有する耐火材と、該耐火材の少なくとも表面及び裏面を覆う被覆部材とで構成されることを特徴とする。【選択図】  図１
2019190151.tif 000002
【特許請求の範囲】
【請求項１】
一方と他方の左右の躯体間の目地部にかけ渡すように設けられる目地部用耐火部材の取付構造であって、
前記一方の躯体の壁面に一端部が当接するように取り付けられているとともに、前記他方の躯体の壁面に他端部が当接するように取り付けられた目地部用耐火部材と、該目地部用耐火部材の前記各端部にそれぞれ略当接するように設けられた耐火シール部材充填部と、該耐火シール部材充填部にそれぞれ充填された耐火シール部材とで構成され、
前記目地部用耐火部材は、柔軟性を有する耐火材と、該耐火材の少なくとも表面及び裏面を覆う被覆部材とで構成される目地部用耐火部材の取付構造。
【請求項２】
一方と他方の左右の躯体間の目地部にかけ渡すように設けられる目地部用耐火部材の取付構造であって、
前記目地部にかけ渡すように設けられたリンク部材と、該リンク部材の少なくとも１つの枢支部に設けられた取付部材と、前記一方の躯体に一端部が取り付けられ、他端部が前記取付部材に取り付けられる一方の目地部用耐火部材と、一端部が他方の躯体の壁面に取り付けられ、他端部が取付部材に取り付けられる他方の目地部用耐火部材と、該一方及び他方の目地部用耐火部材の前記左右の躯体の壁面に取り付けられた一端部にそれぞれ略当接するように設けられた耐火シール部材充填部と、該耐火シール部材充填部にそれぞれ充填された耐火シール部材とで構成され、
前記目地部用耐火部材は、柔軟性を有する耐火材と、該耐火材の少なくとも表面及び裏面を覆う被覆部材とで構成される目地部用耐火部材の取付構造。
【請求項３】
一方の目地部用耐火部材と他方の目地部用耐火部材の間に、両端部が前記取付部に取り付けられる中間目地部用耐火部材を更に備えることを特徴とする請求項２に記載の目地部用耐火部材の取付構造。
【請求項４】
前記目地部用耐火部材は、その端部付近の部位が躯体に固定された取付具を介して取り付けられるとともに、この取付具よりも端部よりの部位が躯体の壁面に当接状態で取り付けられることを特徴とする請求項１乃至請求項３のいずれかに記載の目地部用耐火部材の取付構造。
【請求項５】
前記目地部用耐火部材は、その端部が躯体の壁面に直接取り付けられていることを特徴とする請求項１乃至請求項３のいずれかに記載の目地部用耐火部材の取付構造。
【発明の詳細な説明】
【技術分野】
【０００１】
本発明は一方と他方の躯体間の目地部に設けられる目地部用耐火部材の取付構造に関する。
【背景技術】
【０００２】
従来、一方と他方の躯体（左右の躯体）間の目地部に設けられる目地部用耐火部材としては、「耐火物の表面及び裏面を金属シートで覆うとともに、この金属シートの両端部を左右の躯体にそれぞれ固定する耐火帯」が特許文献１に記載されている。
このような耐火帯（目地部用耐火部材）は、耐火物の全体を金属シートで覆っているため、柔軟性が低く、地震による左右の躯体の揺れ動きにスムーズに対応できないという問題点があった。
【０００３】
また、左右の躯体に耐火帯を取付具等を介さずに直接取り付けており、耐火帯の両端部に耐火シール部材等を充填することが困難であった。
更に付言すると、取付具等を使用して耐火帯の両端部が躯体の壁面と間隔を隔てて取り付けた場合、その取付具の部分が熱橋（ヒートブリッジ）となってしまい、断熱することが難しいという問題があった。
【先行技術文献】
【特許文献】
【０００４】
【特許文献１】特許第２５７２９１６号公報
【発明の概要】
【発明が解決しようとする課題】
【０００５】
本発明は以上のような従来の欠点に鑑み、震による左右の躯体の揺れ動きにスムーズに対応できるとともに、確実に耐火性・シール性を向上させることができる目地部用耐火部材の取付構造を提供することを目的としている。
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【課題を解決するための手段】
【０００６】
上記目的を達成するために、請求項１に記載の目地部用耐火部材の取付構造は、一方と他方の左右の躯体間の目地部にかけ渡すように設けられる目地部用耐火部材の取付構造であって、前記一方の躯体の壁面に一端部が当接するように取り付けられているとともに、前記他方の躯体の壁面に他端部が当接するように取り付けられた目地部用耐火部材と、該目地部用耐火部材の前記各端部にそれぞれ略当接するように設けられた耐火シール部材充填部と、該耐火シール部材充填部にそれぞれ充填された耐火シール部材とで構成され、前記目地部用耐火部材は、柔軟性を有する耐火材と、該耐火材の少なくとも表面及び裏面を覆う被覆部材とで構成されることを特徴とする。
【０００７】
請求項２に記載の目地部用耐火部材の取付構造は、一方と他方の左右の躯体間の目地部にかけ渡すように設けられる目地部用耐火部材の取付構造であって、前記目地部にかけ渡すように設けられたリンク部材と、該リンク部材の少なくとも１つの枢支部に設けられた取付部材と、前記一方の躯体に一端部が取り付けられ、他端部が前記取付部材に取り付けられる一方の目地部用耐火部材と、一端部が他方の躯体の壁面に取り付けられ、他端部が取付部材に取り付けられる他方の目地部用耐火部材と、該一方及び他方の目地部用耐火部材の前記左右の躯体の壁面に取り付けられた一端部にそれぞれ略当接するように設けられた耐火シール部材充填部と、該耐火シール部材充填部にそれぞれ充填された耐火シール部材とで構成され、前記目地部用耐火部材は、柔軟性を有する耐火材と、該耐火材の少なくとも表面及び裏面を覆う被覆部材とで構成されることを特徴とする。
【０００８】
請求項３に記載の目地部用耐火部材の取付構造は、一方の目地部用耐火部材と他方の目地部用耐火部材の間に、両端部が前記取付部に取り付けられる中間目地部用耐火部材を更に備えることを特徴とする。
【０００９】
請求項４に記載の目地部用耐火部材の取付構造は、前記目地部用耐火部材は、その端部付近の部位が躯体に固定された取付具を介して取り付けられるとともに、この取付具よりも端部よりの部位が躯体の壁面に当接状態で取り付けられることを特徴とする。
請求項５に記載の目地部用耐火部材の取付構造は、前記目地部用耐火部材は、その端部が躯体の壁面に直接取り付けられていることを特徴とする。
【発明の効果】
【００１０】
以上の説明から明らかなように、本発明にあっては次に列挙する効果が得られる。
（１）請求項１及び請求項２に記載の各発明においては、柔軟性を有する被覆部材を用いているので、地震による左右の躯体の揺れ動きにスムーズに追従することができる。
（２）また、目地部用耐火部材が躯体の壁面にその端部が面接触状態で接するように取り付けられているので、ヒートブリッジ等も防止でき、確実に耐火性を向上させることができる。
（３）目地部用耐火部材の端部に略当接するように設けられた耐火シール部材充填部を設け、この耐火シール部材充填部に耐火シール部材を充填しているので、シール性を向上させることができる。
（４）請求項３乃至請求項５に記載の各発明においても、前記（１）〜（３）と同様な効果が得られる。
【図面の簡単な説明】
【００１１】
図１乃至図４は本発明の第１の実施形態を示す説明図である。
図５乃至図７は本発明の第２の実施形態を示す説明図である。
図８乃至図１０は本発明の第３の実施形態を示す説明図である。
【図１】第１の実施形態の目地部用耐火部材の取付構造を示す平面図。
【図２】図１の２−２線断面図。
【図３】要部拡大図。
【図４】使用状態の説明図。
【図５】第２の実施形態の目地部用耐火部材の取付構造を示す平面図。
【図６】図５の６−６線断面図。
【図７】要部拡大図。
【図８】第３の実施形態の目地部用耐火部材の取付構造を示す平面図。
【図９】図８の９−９線断面図。
【図１０】要部拡大図。
【発明を実施するための形態】
【００１２】
以下、図面に示す本発明を実施するための形態により、本発明を詳細に説明する。なお、本明細書では図１を基準として左右方向、前（図面上方）後（図面下方）方向という。また、図２を基準として上（図面上方）下（図面下方）方向という。
また、本発明において躯体とは、車両が通行する道路を主に想定しているが、人が通行する部分の目地プレートに設けることも可能であるため、建物、スラブ、エレベーターシャフト等の目地プレートを設置可能な建造物をも含むものである。
【００１３】
図１乃至図４に示す本発明を実施するための第１の形態において、１は本実施の形態においては、目地部２を介して設けられた一方と他方の躯体３、４間に設置される目地部用耐火部材の取付構造である。
【００１４】
この目地部用耐火部材の取付構造１は、図１及び図２に示すように一方の躯体３の壁面に一端部が取り付けられ、他方の躯体４の壁面に他端部が取り付けられた目地部用耐火部材５と、この目地部用耐火部材５の両端部に略当接するように設けられた耐火シール部材充填部６と、この耐火シール部材充填部６に充填された耐火シール部材７とで構成されている。
【００１５】
目地部用耐火部材５は、柔軟性を有する耐火材９、柔軟性を有する袋状で、内部に耐火材９が充填された被覆部材８とで構成されている。
【００１６】
前記被覆部材８は、本実施形態では方形状で、柔軟性を有するシートで、この被覆部材８も耐火性の材料で形成されていることが望ましい。この１対の被覆部材８は、上下に重ねられて周縁部が接着、溶着、縫着等により固定されて中空の袋状に形成されており、耐火材９が内包されている。
【００１７】
耐火材９は、本実施形態では、例えばロックウール等の耐火性及び柔軟性を有する綿状の材料で形成されている。
【００１８】
なお、本実施形態では、耐火材９を袋状の被覆部材８の内部に充填し、耐火材９の全周を被覆部材８で覆っているが、例えばシート状の耐火材を用いる場合には、１対の被覆部材８を用いてその表面及び裏面を覆ってもよい。
【００１９】
この目地部用耐火部材５は、その両端部がそれぞれ左右の躯体３、４の壁面に面接触するように取り付けられており、本実施形態では、ボルト１０によって固定されている。このボルト１０は、目地部用耐火部材５の両端部付近に前後方向に延在する略アングル状の固定金具１１を介して左右の躯体３、４の壁面に固定される。
【００２０】
このように左右の躯体３、４の壁面に面接触するように取り付けることにより、目地部２が断熱され、ヒートブリッジ等の発生も防止することができる。
例えば図３に示すように、左右の躯体３、４の壁面には、目地部用耐火部材５の両端部に取り付けられた固定金具１１と所定間隔を隔てて前後方向に延在する略アングル状のレール部材１２が固定されており、固定金具１１とレール部材１２との間の空間が耐火シール部材充填部６を形成している。
【００２１】
この耐火シール部材充填部６には耐火シール部材７が充填されており、目地部用耐火部材５の両端部と耐火シール部材７が当接状態となっている。
ところで、略当接とは、目地部用耐火部材５の端部に直接耐火シール部材７が当接する場合、目地部用耐火部材５の端部に金具等を介して間接的に耐火シール部材７が当接する場合、目地部用耐火部材５の端部と若干の空間を隔てて耐火シール部材７が充填される場合を含むものである。
【００２２】
使用状態においては、目地部用耐火部材１の上方には、図４に示すように目地プレート１３が設けられ、目地部２が塞がれる。
なお、目地部用耐火部材１の底面を支持できるように支持アーム等（図示せず）を設けてもよい。
【００２３】
この使用状態において、地震によって左右の躯体３、４が揺れ動き、目地部２が狭くなった場合には、目地部用耐火部材１が大きく垂れ下がるとともに、目地プレート１３が他方の躯体４の床面に形成された傾斜面に乗り上がり地震による揺れ動きを吸収する。
地震によって左右の躯体３、４が揺れ動き、目地部２が広くなった場合には、目地部用耐火部材１が略水平状態となるとともに、目地プレート１３が他方の躯体４の床面をスライド移動し地震による揺れ動きを吸収する。
【００２４】
[発明を実施するための異なる形態]
次に、図５乃至図１０に示す本発明を実施するための異なる形態につき説明する。なお、本発明を実施するための異なる形態の説明に当って、前記第１の形態と同一構成部分には同一符号を付して重複する説明を省略する。
【００２５】
図５乃至図７に示す本発明を実施するための第２の形態において、前記本発明を実施するための第１の形態と主に異なる点は、目地部２にかけ渡すように設けられ、取付部材１４を備える複数個のリンク部材１５と、一端部が一方の躯体の壁面に取り付けられ、他端部が前記リンク部材１５の取付部材１４に取り付けられる一方の目地部用耐火部材５と、一端部が他方の躯体３の壁面に取り付けられ、他端部が耐火部材取付部１４に取り付けられる他方の目地部用耐火部材５とで構成した点で、このような目地部用耐火部材の取付構造１Ａにしても前記本発明を実施するための第１の形態と同様の作用効果を得ることができる。
【００２６】
本実施形態では、パンタグラフ状のリンク部材１５の枢支部１６に取付部材１４が設けられており、この取付部材１４に一方の目地部用耐火部材５の他端部と他方の目地部用耐火部材５の他端部を重ね合わせるように取り付けている。このように端部同士を重ね合わせ状態で取り付けることにより、確実に断熱することができる。
【００２７】
この取付部材１４は、略コ字状の一方の取付部材１４ａと平板状の他方の取付部材１４ｂとで構成されており、一方の取付部材１４ａは、枢支部１６を枢支している枢支ピン１７によって枢支部１６に取り付けられている。
【００２８】
この一方の取付部材１４ａには本実施形態では、ボルト１０が貫通しており、このボルト１０は、一方の目地部用耐火部材５の他端部と他方の目地部用耐火部材５の他端部を重ね合わせ部を貫通し、他方の取付部材１４ｂを介してナット１８で固定されている。
このように一方の取付部材１４ａ及び他方の取付部材１４ｂによって一方の目地部用耐火部材５の他端部と他方の目地部用耐火部材５の他端部を重ね合わせ部が挟持状態で枢支部１６に取り付けられる。
【００２９】
ところで、本実施形態では、２つの目地部用耐火部材５を用いているが、例えば３つ以上の目地部用耐火部材５を用いて断熱してもよい。この場合、一方及び他方の目地部用耐火部材５の間に位置する中間目地部用耐火部材５は、その両端部がパンタグラフ状のリンク部材１５の取付部材１４に取り付けられて目地部２を塞いで断熱する。
【００３０】
なお、本実施形態では、クランク状に形成した固定金具１１Ａを用いており、固定金具１１Ａと壁面３ａ、４ａとの間の空間を耐火シール部材充填部６Ａとしている。
【００３１】
このリンク部材１５は、前後方向に複数個、本実施形態では、前後方向に２つのリンク部材１５が設けられており、また、このようにパンタグラフ状のリンク部材１５を用いることにより、幅広の目地部２であっても、複数個の取付部１４を設けることができ、複数個の目地部用耐火部材５を用いて目地部２の全体を耐火性の部材で覆うことができる。
【００３２】
図８乃至図１０に示す本発明を実施するための第３の形態において、前記本発明を実施するための第１の形態と主に異なる点は、一方の躯体３及び他方の躯体４の壁面に固定され、鋭角に屈曲した固定金具１１Ｂを用いて目地部用耐火部材５の両端部付近を固定するとともに、目地部用耐火部材５の端部を自由端となる状態で一方の躯体３の壁面３ａ及び他方の躯体の壁面４ａに面接触させ、この目地部用耐火部材５の端部に当接するように耐火シール部材７を充填した点で、このような目地部用耐火部材の取付構造１Ｂにしても前記本発明を実施するための第１の形態と同様の作用効果を得ることができる。
【００３３】
本実施形態では、鋭角に屈曲した固定金具１１Ｂに固定されたボルト１を目地部用耐火部材５の端部付近に貫通させ、このボルト１０に略コ字状の取付金具１９を介してナット１８を螺合させ、固定金具１１Ｂ及び取付金具１９で目地部用耐火部材５が挟持されるように取り付ける。
【００３４】
この目地部用耐火部材５の端部付近には、レール部材１２が固定されており、取付金具１９とレール部材１２との間の空間が耐火シール部材充填部６Ｂを形成している。
【００３５】
なお、目地部用耐火部材を方形状に形成したものについて説明したが、略多角形状、円弧状等の形状に形成することができる。このような形状にした場合には、一方の躯体と他方の躯体に取り付けられるよう、周縁部の一部又は全周に取付部を設ける。
【００３６】
以上の通りであるから、本発明の目地部用耐火部材は、一方と他方の左右の躯体間の目地部にかけ渡すように設けられる目地部用耐火部材の取付構造であって、前記躯体の壁面にその端部が当接するように取り付けられた目地部用耐火部材と、該目地部用耐火部材の端部に略当接するように設けられた耐火シール部材充填部と、該耐火シール部材充填部に充填された耐火シール部材とで構成され、前記目地部用耐火部材は、柔軟性を有する耐火材と、該耐火材の少なくとも表面及び裏面を覆う被覆部材とで構成されることを特徴とする。
【産業上の利用可能性】
【００３７】
本発明は目地部用耐火部材を製造する産業で利用される。
【符号の説明】
【００３８】
１、１Ａ、１Ｂ：目地部用耐火部材の取付構造、
２：目地部、                        ３：一方の躯体、
４：他方の躯体、                    ５：目地部用耐火部材、
６、６Ａ、６Ｂ：耐火シール部材充填部、
７：耐火シール部材、                ８：被覆部材、
９：耐火材、                        １０：ボルト、
１１、１１Ａ、１１Ｂ：固定金具、    １２：レール部材、
１３：目地プレート、                １４：耐火部材取付部、
１５：リンク部材、                  １６：枢支部、
１７：枢支ピン、                    １８：ナット、
１９：取付金具。
【図１】
2019190151.tif 000003
【図２】
2019190151.tif 000004
【図３】
2019190151.tif 000005
【図４】
2019190151.tif 000006
【図５】
2019190151.tif 000007
【図６】
2019190151.tif 000008
【図７】
2019190151.tif 000009
【図８】
2019190151.tif 000010
【図９】
2019190151.tif 000011
【図１０】
2019190151.tif 000012
【手続補正書】
【提出日】令和1年8月1日(2019.8.1)
【手続補正１】
【補正対象書類名】特許請求の範囲
【補正対象項目名】全文
【補正方法】変更
【補正の内容】
【特許請求の範囲】
【請求項１】
一方と他方の左右の躯体間の目地部にかけ渡すように設けられる目地部用耐火部材の取付構造であって、
前記一方の躯体の壁面に一端部が当接するように取り付けられているとともに、前記他方の躯体の壁面に他端部が当接するように取り付けられた目地部用耐火部材と、該目地部用耐火部材の前記各端部にそれぞれ当接するように設けられた耐火シール部材充填部と、該耐火シール部材充填部に、前記目地部用耐火部材の前記各端部にそれぞれ当接し、かつ、前記一方の躯体の壁面又は前記他方の躯体の壁面にそれぞれ当接するように充填された耐火シール部材とで構成され、
前記目地部用耐火部材は、柔軟性を有する耐火材と、該耐火材の少なくとも表面及び裏面を覆う被覆部材とで構成される目地部用耐火部材の取付構造。
【請求項２】
一方と他方の左右の躯体間の目地部にかけ渡すように設けられる目地部用耐火部材の取付構造であって、
前記目地部にかけ渡すように設けられたリンク部材と、該リンク部材の少なくとも１つの枢支部に設けられた取付部材と、前記一方の躯体に一端部が取り付けられ、他端部が前記取付部材に取り付けられる一方の目地部用耐火部材と、一端部が他方の躯体の壁面に取り付けられ、他端部が取付部材に取り付けられる他方の目地部用耐火部材と、該一方及び他方の目地部用耐火部材の前記左右の躯体の壁面に取り付けられた一端部にそれぞれ略当接するように設けられた耐火シール部材充填部と、前記目地部用耐火部材の前記各一端部にそれぞれ当接し、かつ、前記一方の躯体の壁面又は前記他方の躯体の壁面にそれぞれ当接するように充填された耐火シール部材とで構成され、
前記目地部用耐火部材は、柔軟性を有する耐火材と、該耐火材の少なくとも表面及び裏面を覆う被覆部材とで構成される目地部用耐火部材の取付構造。
【請求項３】
一方の目地部用耐火部材と他方の目地部用耐火部材の間に、両端部が前記取付部材に取り付けられる中間目地部用耐火部材を更に備えることを特徴とする請求項２に記載の目地部用耐火部材の取付構造。
【請求項４】
前記目地部用耐火部材は、その端部付近の部位が躯体に固定された取付具を介して取り付けられるとともに、この取付具よりも端部よりの部位が躯体の壁面に当接状態で取り付けられることを特徴とする請求項１乃至請求項３のいずれかに記載の目地部用耐火部材の取付構造。
【請求項５】
前記目地部用耐火部材は、その端部が躯体の壁面に直接取り付けられていることを特徴とする請求項１乃至請求項３のいずれかに記載の目地部用耐火部材の取付構造。
【手続補正２】
【補正対象書類名】明細書
【補正対象項目名】全文
【補正方法】変更
【補正の内容】
【発明の詳細な説明】
【技術分野】
【０００１】
本発明は一方と他方の躯体間の目地部に設けられる目地部用耐火部材の取付構造に関する。
【背景技術】
【０００２】
従来、一方と他方の躯体（左右の躯体）間の目地部に設けられる目地部用耐火部材としては、「耐火物の表面及び裏面を金属シートで覆うとともに、この金属シートの両端部を左右の躯体にそれぞれ固定する耐火帯」が特許文献１に記載されている。
このような耐火帯（目地部用耐火部材）は、耐火物の全体を金属シートで覆っているため、柔軟性が低く、地震による左右の躯体の揺れ動きにスムーズに対応できないという問題点があった。
【０００３】
また、左右の躯体に耐火帯を取付具等を介さずに直接取り付けており、耐火帯の両端部に耐火シール部材等を充填することが困難であった。
更に付言すると、取付具等を使用して耐火帯の両端部が躯体の壁面と間隔を隔てて取り付けた場合、その取付具の部分が熱橋（ヒートブリッジ）となってしまい、断熱することが難しいという問題があった。
【先行技術文献】
【特許文献】
【０００４】
【特許文献１】特許第２５７２９１６号公報
【発明の概要】
【発明が解決しようとする課題】
【０００５】
本発明は以上のような従来の欠点に鑑み、震による左右の躯体の揺れ動きにスムーズに対応できるとともに、確実に耐火性・シール性を向上させることができる目地部用耐火部材の取付構造を提供することを目的としている。
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【課題を解決するための手段】
【０００６】
上記目的を達成するために、請求項１に記載の目地部用耐火部材の取付構造は、一方と他方の左右の躯体間の目地部にかけ渡すように設けられる目地部用耐火部材の取付構造であって、前記一方の躯体の壁面に一端部が当接するように取り付けられているとともに、前記他方の躯体の壁面に他端部が当接するように取り付けられた目地部用耐火部材と、該目地部用耐火部材の前記各端部にそれぞれ当接するように設けられた耐火シール部材充填部と、該耐火シール部材充填部に、前記目地部用耐火部材の前記各端部にそれぞれ当接し、かつ、前記一方の躯体の壁面又は前記他方の躯体の壁面にそれぞれ当接するように充填された耐火シール部材とで構成され、前記目地部用耐火部材は、柔軟性を有する耐火材と、該耐火材の少なくとも表面及び裏面を覆う被覆部材とで構成されることを特徴とする。
【０００７】
請求項２に記載の目地部用耐火部材の取付構造は、一方と他方の左右の躯体間の目地部にかけ渡すように設けられる目地部用耐火部材の取付構造であって、前記目地部にかけ渡すように設けられたリンク部材と、該リンク部材の少なくとも１つの枢支部に設けられた取付部材と、前記一方の躯体に一端部が取り付けられ、他端部が前記取付部材に取り付けられる一方の目地部用耐火部材と、一端部が他方の躯体の壁面に取り付けられ、他端部が取付部材に取り付けられる他方の目地部用耐火部材と、該一方及び他方の目地部用耐火部材の前記左右の躯体の壁面に取り付けられた一端部にそれぞれ略当接するように設けられた耐火シール部材充填部と、前記目地部用耐火部材の前記各一端部にそれぞれ当接し、かつ、前記一方の躯体の壁面又は前記他方の躯体の壁面にそれぞれ当接するように充填された耐火シール部材とで構成され、前記目地部用耐火部材は、柔軟性を有する耐火材と、該耐火材の少なくとも表面及び裏面を覆う被覆部材とで構成されることを特徴とする。
【０００８】
請求項３に記載の目地部用耐火部材の取付構造は、一方の目地部用耐火部材と他方の目地部用耐火部材の間に、両端部が前記取付部材に取り付けられる中間目地部用耐火部材を更に備えることを特徴とする。
【０００９】
請求項４に記載の目地部用耐火部材の取付構造は、前記目地部用耐火部材は、その端部付近の部位が躯体に固定された取付具を介して取り付けられるとともに、この取付具よりも端部よりの部位が躯体の壁面に当接状態で取り付けられることを特徴とする。
請求項５に記載の目地部用耐火部材の取付構造は、前記目地部用耐火部材は、その端部が躯体の壁面に直接取り付けられていることを特徴とする。
【発明の効果】
【００１０】
以上の説明から明らかなように、本発明にあっては次に列挙する効果が得られる。
（１）請求項１及び請求項２に記載の各発明においては、柔軟性を有する被覆部材を用いているので、地震による左右の躯体の揺れ動きにスムーズに追従することができる。
（２）また、目地部用耐火部材が躯体の壁面にその端部が面接触状態で接するように取り付けられているので、ヒートブリッジ等も防止でき、確実に耐火性を向上させることができる。
（３）目地部用耐火部材の端部に略当接するように設けられた耐火シール部材充填部を設け、この耐火シール部材充填部に耐火シール部材を充填しているので、シール性を向上させることができる。
（４）請求項３乃至請求項５に記載の各発明においても、前記（１）〜（３）と同様な効果が得られる。
【図面の簡単な説明】
【００１１】
図１乃至図４は本発明の第１の実施形態を示す説明図である。
図５乃至図７は本発明の第２の実施形態を示す説明図である。
図８乃至図１０は本発明の第３の実施形態を示す説明図である。
【図１】第１の実施形態の目地部用耐火部材の取付構造を示す平面図。
【図２】図１の２−２線断面図。
【図３】要部拡大図。
【図４】使用状態の説明図。
【図５】第２の実施形態の目地部用耐火部材の取付構造を示す平面図。
【図６】図５の６−６線断面図。
【図７】要部拡大図。
【図８】第３の実施形態の目地部用耐火部材の取付構造を示す平面図。
【図９】図８の９−９線断面図。
【図１０】要部拡大図。
【発明を実施するための形態】
【００１２】
以下、図面に示す本発明を実施するための形態により、本発明を詳細に説明する。なお、本明細書では図１を基準として左右方向、前（図面上方）後（図面下方）方向という。また、図２を基準として上（図面上方）下（図面下方）方向という。
また、本発明において躯体とは、車両が通行する道路を主に想定しているが、人が通行する部分の目地プレートに設けることも可能であるため、建物、スラブ、エレベーターシャフト等の目地プレートを設置可能な建造物をも含むものである。
【００１３】
図１乃至図４に示す本発明を実施するための第１の形態において、１は本実施の形態においては、目地部２を介して設けられた一方と他方の躯体３、４間に設置される目地部用耐火部材の取付構造である。
【００１４】
この目地部用耐火部材の取付構造１は、図１及び図２に示すように一方の躯体３の壁面に一端部が取り付けられ、他方の躯体４の壁面に他端部が取り付けられた目地部用耐火部材５と、この目地部用耐火部材５の両端部に略当接するように設けられた耐火シール部材充填部６と、この耐火シール部材充填部６に充填された耐火シール部材７とで構成されている。
【００１５】
目地部用耐火部材５は、柔軟性を有する耐火材９、柔軟性を有する袋状で、内部に耐火材９が充填された被覆部材８とで構成されている。
【００１６】
前記被覆部材８は、本実施形態では方形状で、柔軟性を有するシートで、この被覆部材８も耐火性の材料で形成されていることが望ましい。この１対の被覆部材８は、上下に重ねられて周縁部が接着、溶着、縫着等により固定されて中空の袋状に形成されており、耐火材９が内包されている。
【００１７】
耐火材９は、本実施形態では、例えばロックウール等の耐火性及び柔軟性を有する綿状の材料で形成されている。
【００１８】
なお、本実施形態では、耐火材９を袋状の被覆部材８の内部に充填し、耐火材９の全周を被覆部材８で覆っているが、例えばシート状の耐火材を用いる場合には、１対の被覆部材８を用いてその表面及び裏面を覆ってもよい。
【００１９】
この目地部用耐火部材５は、その両端部がそれぞれ左右の躯体３、４の壁面に面接触するように取り付けられており、本実施形態では、ボルト１０によって固定されている。このボルト１０は、目地部用耐火部材５の両端部付近に前後方向に延在する略アングル状の固定金具１１を介して左右の躯体３、４の壁面に固定される。
【００２０】
このように左右の躯体３、４の壁面に面接触するように取り付けることにより、目地部２が断熱され、ヒートブリッジ等の発生も防止することができる。
例えば図３に示すように、左右の躯体３、４の壁面には、目地部用耐火部材５の両端部に取り付けられた固定金具１１と所定間隔を隔てて前後方向に延在する略アングル状のレール部材１２が固定されており、固定金具１１とレール部材１２との間の空間が耐火シール部材充填部６を形成している。
【００２１】
この耐火シール部材充填部６には耐火シール部材７が充填されており、目地部用耐火部材５の両端部と耐火シール部材７が当接状態となっている。
ところで、略当接とは、目地部用耐火部材５の端部に直接耐火シール部材７が当接する場合、目地部用耐火部材５の端部に金具等を介して間接的に耐火シール部材７が当接する場合、目地部用耐火部材５の端部と若干の空間を隔てて耐火シール部材７が充填される場合を含むものである。
【００２２】
使用状態においては、目地部用耐火部材１の上方には、図４に示すように目地プレート１３が設けられ、目地部２が塞がれる。
なお、目地部用耐火部材１の底面を支持できるように支持アーム等（図示せず）を設けてもよい。
【００２３】
この使用状態において、地震によって左右の躯体３、４が揺れ動き、目地部２が狭くなった場合には、目地部用耐火部材１が大きく垂れ下がるとともに、目地プレート１３が他方の躯体４の床面に形成された傾斜面に乗り上がり地震による揺れ動きを吸収する。
地震によって左右の躯体３、４が揺れ動き、目地部２が広くなった場合には、目地部用耐火部材１が略水平状態となるとともに、目地プレート１３が他方の躯体４の床面をスライド移動し地震による揺れ動きを吸収する。
【００２４】
[発明を実施するための異なる形態]
次に、図５乃至図１０に示す本発明を実施するための異なる形態につき説明する。なお、本発明を実施するための異なる形態の説明に当って、前記第１の形態と同一構成部分には同一符号を付して重複する説明を省略する。
【００２５】
図５乃至図７に示す本発明を実施するための第２の形態において、前記本発明を実施するための第１の形態と主に異なる点は、目地部２にかけ渡すように設けられ、取付部材１４を備える複数個のリンク部材１５と、一端部が一方の躯体の壁面に取り付けられ、他端部が前記リンク部材１５の取付部材１４に取り付けられる一方の目地部用耐火部材５と、一端部が他方の躯体３の壁面に取り付けられ、他端部が耐火部材取付部１４に取り付けられる他方の目地部用耐火部材５とで構成した点で、このような目地部用耐火部材の取付構造１Ａにしても前記本発明を実施するための第１の形態と同様の作用効果を得ることができる。
【００２６】
本実施形態では、パンタグラフ状のリンク部材１５の枢支部１６に取付部材１４が設けられており、この取付部材１４に一方の目地部用耐火部材５の他端部と他方の目地部用耐火部材５の他端部を重ね合わせるように取り付けている。このように端部同士を重ね合わせ状態で取り付けることにより、確実に断熱することができる。
【００２７】
この取付部材１４は、略コ字状の一方の取付部材１４ａと平板状の他方の取付部材１４ｂとで構成されており、一方の取付部材１４ａは、枢支部１６を枢支している枢支ピン１７によって枢支部１６に取り付けられている。
【００２８】
この一方の取付部材１４ａには本実施形態では、ボルト１０が貫通しており、このボルト１０は、一方の目地部用耐火部材５の他端部と他方の目地部用耐火部材５の他端部を重ね合わせ部を貫通し、他方の取付部材１４ｂを介してナット１８で固定されている。
このように一方の取付部材１４ａ及び他方の取付部材１４ｂによって一方の目地部用耐火部材５の他端部と他方の目地部用耐火部材５の他端部を重ね合わせ部が挟持状態で枢支部１６に取り付けられる。
【００２９】
ところで、本実施形態では、２つの目地部用耐火部材５を用いているが、例えば３つ以上の目地部用耐火部材５を用いて断熱してもよい。この場合、一方及び他方の目地部用耐火部材５の間に位置する中間目地部用耐火部材５は、その両端部がパンタグラフ状のリンク部材１５の取付部材１４に取り付けられて目地部２を塞いで断熱する。
【００３０】
なお、本実施形態では、クランク状に形成した固定金具１１Ａを用いており、固定金具１１Ａと壁面３ａ、４ａとの間の空間を耐火シール部材充填部６Ａとしている。
【００３１】
このリンク部材１５は、前後方向に複数個、本実施形態では、前後方向に２つのリンク部材１５が設けられており、また、このようにパンタグラフ状のリンク部材１５を用いることにより、幅広の目地部２であっても、複数個の取付部１４を設けることができ、複数個の目地部用耐火部材５を用いて目地部２の全体を耐火性の部材で覆うことができる。
【００３２】
図８乃至図１０に示す本発明を実施するための第３の形態において、前記本発明を実施するための第１の形態と主に異なる点は、一方の躯体３及び他方の躯体４の壁面に固定され、鋭角に屈曲した固定金具１１Ｂを用いて目地部用耐火部材５の両端部付近を固定するとともに、目地部用耐火部材５の端部を自由端となる状態で一方の躯体３の壁面３ａ及び他方の躯体の壁面４ａに面接触させ、この目地部用耐火部材５の端部に当接するように耐火シール部材７を充填した点で、このような目地部用耐火部材の取付構造１Ｂにしても前記本発明を実施するための第１の形態と同様の作用効果を得ることができる。
【００３３】
本実施形態では、鋭角に屈曲した固定金具１１Ｂに固定されたボルト１を目地部用耐火部材５の端部付近に貫通させ、このボルト１０に略コ字状の取付金具１９を介してナット１８を螺合させ、固定金具１１Ｂ及び取付金具１９で目地部用耐火部材５が挟持されるように取り付ける。
【００３４】
この目地部用耐火部材５の端部付近には、レール部材１２が固定されており、取付金具１９とレール部材１２との間の空間が耐火シール部材充填部６Ｂを形成している。
【００３５】
なお、目地部用耐火部材を方形状に形成したものについて説明したが、略多角形状、円弧状等の形状に形成することができる。このような形状にした場合には、一方の躯体と他方の躯体に取り付けられるよう、周縁部の一部又は全周に取付部を設ける。
【００３６】
以上の通りであるから、本発明の目地部用耐火部材は、一方と他方の左右の躯体間の目地部にかけ渡すように設けられる目地部用耐火部材の取付構造であって、前記躯体の壁面にその端部が当接するように取り付けられた目地部用耐火部材と、該目地部用耐火部材の端部に略当接するように設けられた耐火シール部材充填部と、該耐火シール部材充填部に充填された耐火シール部材とで構成され、前記目地部用耐火部材は、柔軟性を有する耐火材と、該耐火材の少なくとも表面及び裏面を覆う被覆部材とで構成されることを特徴とする。
【産業上の利用可能性】
【００３７】
本発明は目地部用耐火部材を製造する産業で利用される。
【符号の説明】
【００３８】
１、１Ａ、１Ｂ：目地部用耐火部材の取付構造、
２：目地部、                        ３：一方の躯体、
４：他方の躯体、                    ５：目地部用耐火部材、
６、６Ａ、６Ｂ：耐火シール部材充填部、
７：耐火シール部材、                ８：被覆部材、
９：耐火材、                        １０：ボルト、
１１、１１Ａ、１１Ｂ：固定金具、    １２：レール部材、
１３：目地プレート、                １４：耐火部材取付部、
１５：リンク部材、                  １６：枢支部、
１７：枢支ピン、                    １８：ナット、
１９：取付金具。